(57)【特許請求の範囲】
【請求項１】
外部接続端子群を設けた短寸または長寸のカードが開口端側から選択的に挿入される挿入空間を有し、かつ前記カードを前記挿入空間内への挿入量が小なる第１の装着位置と挿入量が大なる第２の装着位置とに装着可能なハウジングと、
前記ハウジングに固定されて前記挿入空間内に露出し、少なくとも前記短寸のカードが前記第１の装着位置に装着されているとき前記外部接続端子群に接触する端子部と、
前記カードと係合したまま該カードの挿入排出方向に沿って往復移動可能であって、前記第１の装着位置に装着されたカードを排出し、前記第２の装着位置に長寸のカードを装着する際には前記第２の装着位置に対応する位置に移動可能になっているスライド部材と、
前記スライド部材の移動に伴い溝状ガイド部に沿って移動する係合ピンと、
前記スライド部材を前記カードの排出方向へ向けて弾性付勢する付勢部材とを備え、
かつ前記溝状ガイド部に、前記係合ピンを係止して前記短寸または長寸のカードを前記第１の装着位置に保持するためのピン係止部を有するハート型カム溝と、前記ピン係止部の上流側で前記ハート型カム溝に連通して奥方へ延び、前記長寸のカードを前記第１の装着位置に装着することなく前記第２の装着位置方向へ移動可能にする第１の案内溝と、前記ピン係止部の下流側で前記ハート型カム溝に連通して奥方へ延び、前記第１の装着位置に装着された前記長寸のカードを前記第１の装着位置から前記第２の装着位置方向へ移動可能にする第２の案内溝と、前記長寸のカードが前記第２の装着位置から前記第１の装着位置へ移動する過程で前記係合ピンの進路をガイドし前記ハート型カム溝へ帰還させる帰還路とを設けたことを特徴とするカード用コネクタ装置。
【請求項２】
請求項１の記載において、前記帰還路内に位置し前記係合ピンを係止して前記長寸のカードを前記第１の装着位置に保持可能な戻りピン係止部とを設け、この戻りピン係止部の下流側で前記帰還路を前記第１の案内溝または前記第２の案内溝に連通させたことを特徴とするカード用コネクタ装置。
【請求項３】
請求項２の記載において、前記帰還路の下流側に連通し、前記長寸のカードを前記第１の装着位置から手前へ移動させる過程で前記係合ピンの進路をガイドする排出経路を設け、前記長寸のカードを前記第１の装着位置から一旦奥方へ押し込むことにより、前記戻りピン係止部に係止された前記係合ピンを前記排出経路へ移動させることを特徴とするカード用コネクタ装置。
【発明の詳細な説明】
【０００１】
【発明の属する技術分野】
本発明は、小型メモリカードやＳＤカードなどと呼称される端子付きカードを装着して、このカードの外部接続端子群をパソコン等の電子装置に設けられた電子回路に接続させるカード用コネクタ装置に係り、特に、多機能化に伴うカードの長寸化に対応したカード用コネクタ装置に関する。
【０００２】
【従来の技術】
従来より、パソコンや電子カメラ等の電子装置に着脱自在に装着されて情報の書き込みや読み取りが行えるカード（以下、ＳＤカードと称する）が知られている。この種のカードは、外形形状が略方形のカード状に形成されており、片面の一端部に複数の外部接続端子が列設されている。また、かかるＳＤカードが装着可能な電子装置には、所要の電子回路が設けられた回路基板と、ＳＤカードの外部接続端子群を該電子回路に接続するためのカード用コネクタ装置とが備えられている。
【０００３】
このようなカード用コネクタ装置には、ＳＤカードが開口端側から挿入される挿入空間を有するハウジングと、このハウジングに固定されて挿入空間内に露出する複数の端子片と、装着されたＳＤカードを排出するための排出機構とが備えられている。
【０００４】
ハウジングは通常、絶縁材料からなるフレームと、金属材料または絶縁材料からなるカバーとを組み合わせて構成され、フレームとカバーとの間にＳＤカード用の挿入空間が形成される。各端子片には、挿入空間内に露出してＳＤカードの外部接続端子と接触可能な接触部と、パソコン等の電子装置に設けられた電子回路に半田付けされる半田付け部とが設けられており、挿入空間に挿入されたＳＤカードが所定の装着位置に装着されているとき、その外部接続端子群が各端子片の接触部と接触するように設計されている。
【０００５】
排出機構としては例えば、ＳＤカードに係合して往復移動可能なスライダと、このスライダをカード排出方向へ弾性付勢するコイルばねと、ハート型カム溝にガイドされる係合ピンとを備えた構成のものが知られている。このものは、スライダと係合ピンとを協働させることにより、所定の装着位置に装着されているＳＤカードの手前側の端部（後端部）を操作者が手指で押し込むと、該カードがスライダと共に手前へ移動して容易に排出できるようになっている。このほか、排出用の操作部材を操作して、所定の装着位置で係止されているＳＤカードを係止解除することにより、該カードを排出させるという構成のものも知られている。
【０００６】
【発明が解決しようとする課題】
ところで、近年、ＳＤカードを単なる記憶媒体として使用するだけでなく、送受信回路等を設けることにより通信機器として使用するという要望が高まっており、それに伴い、これまでのＳＤカードに比べて、端子仕様は同じであるが長さ寸法を大きくしたＳＤカードの登場が予想されている。例えば、長寸のＳＤカードの後端側に近距離無線通信用のアンテナ回路を設け、このアンテナ回路を使用するときだけＳＤカードを浅い挿入状態でコネクタ装置に装着しておき、アンテナ回路を使用しないときには、ＳＤカードを深い挿入状態でコネクタ装置に差し込んでおくという使われ方が今後十分に考えられる。
【０００７】
しかしながら、従来のカード用コネクタ装置は、かかる長寸のＳＤカードを装着することを想定した構造にはなっていないため、該ＳＤカードを途中まで挿入することで電気的な接続を図ることはできても、例えばアンテナ回路を使用しないときに該ＳＤカードを深く挿入して収納状態にしておく等、該ＳＤカードの装着位置を随時変更させることができない。すなわち、従来のカード用コネクタ装置を通常品よりも長いＳＤカードに適用させようとすると、ハウジングの挿入空間の開口端から手前へ該ＳＤカードを常に大きく突出させた状態にしておかねばならないので、外観が悪いというだけでなく、該ＳＤカードをコネクタ装置に装着したままノート型パソコン等の電子装置本体を携帯しなければならず、使い勝手が極めて悪いという問題が起こる。
【０００８】
本発明は、かかる従来技術の不備を解消するためになされたものであって、その目的は、長寸のＳＤカードを挿入量の異なる所望の位置に選択的かつ容易に装着させることができ、使い勝手が良好なカード用コネクタ装置を提供することにある。
【０００９】
【課題を解決するための手段】
上述した目的を達成するため、本発明によるカード用コネクタ装置は、外部接続端子群を設けた短寸または長寸のカードが開口端側から選択的に挿入される挿入空間を有し、かつ前記カードを前記挿入空間内への挿入量が小なる第１の装着位置と挿入量が大なる第２の装着位置とに装着可能なハウジングと、前記ハウジングに固定されて前記挿入空間内に露出し、少なくとも前記短寸のカードが前記第１の装着位置に装着されているとき前記外部接続端子群に接触する端子部と、前記カードと係合したまま該カードの挿入排出方向に沿って往復移動可能であって、前記第１の装着位置に装着されたカードを排出し、前記第２の装着位置に長寸のカードを装着する際には前記第２の装着位置に対応する位置に移動可能になっているスライド部材と、前記スライド部材の移動に伴い溝状ガイド部に沿って移動する係合ピンと、前記スライド部材を前記カードの排出方向へ向けて弾性付勢する付勢部材とを備え、かつ前記溝状ガイド部に、前記係合ピンを係止して前記短寸または長寸のカードを前記第１の装着位置に保持するためのピン係止部を有するハート型カム溝と、前記ピン係止部の上流側で前記ハート型カム溝に連通して奥方へ延び、前記長寸のカードを前記第１の装着位置に装着することなく前記第２の装着位置方向へ移動可能にする第１の案内溝と、前記ピン係止部の下流側で前記ハート型カム溝に連通して奥方へ延び、前記第１の装着位置に装着された前記長寸のカードを前記第１の装着位置から前記第２の装着位置方向へ移動可能にする第２の案内溝と、前記長寸のカードが前記第２の装着位置から前記第１の装着位置へ移動する過程で前記係合ピンの進路をガイドし前記ハート型カム溝へ帰還させる帰還路とを設ける構成とした。
【００１０】
このような構成のコネクタ装置は、短寸の（ＳＤ）カードを挿入して第１の装着位置に装着させることができるのみならず、長寸のカードを第１の装着位置にも第２の装着位置にも装着させることができるので、長寸のカードを第１の装着位置に装着させれば、例えばそのカードに内蔵したアンテナ回路を露出させて通信機器として使用でき、また、長寸のカードを深く差し込んで第２の装着位置に装着させれば、記憶媒体として使用したり携帯に便利な収納状態に保持しておくことができる。すなわち、長寸のカードをハウジングの挿入空間の開口端から挿入していくと、カードに追動するスライド部材を介して係合ピンが溝状ガイド部に沿って移動するが、カードを途中まで挿入した段階で押し込み操作力を除去すれば、係合ピンがハート型カム溝のピン係止部に係止されて、第１の装着位置に該カードを停止させることができる。また、挿入した長寸のカードを第１の装着位置を通り越して深く挿入し、係合ピンを第１の案内溝に沿って奥方へ進ませれば、第２の装着位置まで長寸のカードを円滑に移動させることができる。また、挿入したカードを第１の装着位置で保持した後、浅く押し込めば排出させることができ、深く押し込めば係合ピンが第２の案内溝に沿って移動して長寸のカードを第２の装着位置まで円滑に移動させることができる。したがって、挿入したカードを所望の装着位置へ随時簡便に移動させることができる。
【００１１】
さらに、本発明の上述した構成において、前記帰還路内に位置し前記係合ピンを係止して前記長寸のカードを前記第１の装着位置に保持可能な戻りピン係止部とを設け、この戻りピン係止部の下流側で前記帰還路を前記第１の案内溝または前記第２の案内溝に連通させておけば、長寸のカードを第２の装着位置と第１の装着位置との間で容易に往復移動させることができるので、使い勝手が向上する。また、係合ピンが帰還路内の戻りピン係止部に係止された状態でカードが第１の装着位置に装着されているとき、該カードを浅く押し込めば、係合ピンが第１の案内溝または第２の案内溝からハート型カム溝へ戻るので、排出用の操作部材を別途設けなくてもカードを容易に排出させることができる。
【００１２】
その際、前記帰還路の下流側に連通し、長寸のカードを第１の装着位置から手前へ移動させる過程で係合ピンの進路をガイドする排出経路を設け、長寸のカードを第１の装着位置から一旦奥方へ押し込むことにより、戻りピン係止部に係止された係合ピンを排出経路へ移動させるようにすれば、より好ましい。
【００１３】
【発明の実施の形態】
発明の実施の形態について図面を参照して説明すると、図１は実施形態例に係るカード用コネクタ装置のカバーを省略して示す平面図、図２は該コネクタ装置のハウジングの平面図、図３は該コネクタ装置の端子部の平面図、図４は該コネクタ装置の第１の排出機構に設けられたガイド溝の説明図、図５は該コネクタ装置の第２の排出機構に設けられたガイド溝の説明図である。
【００１４】
これらの図に示すカード用コネクタ装置は、パソコン等の電子装置に組み付けられてＳＤカードを装着するためのものであり、所定位置に装着したＳＤカードの外部接続端子群を電子装置本体に設けられた電子回路に接続させることができる。そして、このカード用コネクタ装置は、短寸のＳＤカードを装着できるだけでなく、長寸のＳＤカードも装着できるように構成されている。
【００１５】
具体的な構成について述べると、このカード用コネクタ装置は、絶縁材料からなるフレーム１と金属材料からなる図示せぬカバーとを組み合わせてなるハウジングと、端子片３，４を連結部５を介して連結してなり、インサート成形技術によりフレーム１に固定された金属板製の複数の端子ユニット２と、フレーム１の一側部に設けられた第１の排出機構６と、フレーム１の他側部に設けられた第２の排出機構７とによって概略構成されている。
【００１６】
前記ハウジングのフレーム１とカバーとの間には、ＳＤカードが開口端８ａ側から挿入される挿入空間８が形成されている。また、図２に示すように、フレーム１の一側部には、第１の排出機構６の一部をなすガイド溝９や、規制壁１０および切欠き１１が形成されており、フレーム１の他側部には、第２の排出機構７の一部をなすハート型カム溝１２が形成されている。さらに、フレーム１には、開口端８ａの近傍に各端子ユニット２の一端部が露出する透孔１３が形成されている。
【００１７】
各端子ユニット２は図１，３に示すように前後２列に配設されており、挿入空間８の中央部付近に露出する端子片３群によって第１の端子部３０が構成され、挿入空間８の奥部に露出する端子片４群によって第２の端子部４０が構成されている。これら第１および第２の端子部３０，４０の対応する端子片３，４どうしは、フレーム１の奥行き方向（長手方向）に沿う同一直線上に配設されており、前述したように連結部５を介して連結されている。また、端子片３，４の自由端部はそれぞれ接触部３ａ，４ａとなっており、各接触部３ａの相対位置関係や各接触部４ａの相対位置関係はいずれも、ＳＤカードの外部接続端子群の相対位置関係（端子配列）と同等に設定されている。また、対応する端子片３，４を含む端子ユニット２の一端部には、図３に示すように半田付け部２ａが設けられており、各端子ユニット２の半田付け部２ａをフレーム１の透孔１３内に突出させている。これらの半田付け部２ａは、電子装置本体の図示せぬ回路基板に設けられている電子回路に半田付けされる。
【００１８】
つまり、このカード用コネクタ装置には、挿入量が小なるＳＤカードを装着させるための第１の装着位置と、挿入量が大なるＳＤカードを装着させるための第２の装着位置とが設定されており、ＳＤカードを挿入空間８内の中央部付近まで挿入して第１の装着位置に装着させると、その外部接続端子群が各端子片３の接触部３ａに接触した状態となる。また、ＳＤカードを挿入空間８内の奥部まで挿入して第２の装着位置に装着させると、その外部接続端子群が各端子片４の接触部４ａに接触した状態となる。
【００１９】
第１の排出機構６は、ＳＤカードの挿入排出方向に沿って往復移動可能な第１のスライド部材１４と、このスライド部材１４に回動自在に軸支されてＳＤカードの前縁部と係合可能な係合アーム１５と、第１のスライド部材１４の移動に伴い前記ガイド溝９に沿って移動する第１の係合ピン１６と、この係合ピン１６がガイド溝９から脱落しないように押えている押え板１７と、ＳＤカードの一側縁に設けられている凹部に係合可能で第１のスライド部材１４に保持された第１の弾性片１８と、ＳＤカードの該凹部に係合可能で係合アーム１５に保持された第２の弾性片１９と、第１のスライド部材１４をカード排出方向へ向けて弾性付勢する第１のコイルばね２０とを具備している。また、フレーム１の前記規制壁１０および切欠き１１も第１の排出機構６の構成要素であり、規制壁１０は、ＳＤカードの挿入位置が前記第１の装着位置に到達していない場合に、係合アーム１５の外方への回転を規制する。一方、切欠き１１は、ＳＤカードが前記第１の装着位置から前記第２の装着位置へ移動する途中で、係合アーム１５の外方への回転を許容して該係合アーム１５を退避させる。
【００２０】
また、前記ガイド溝９には、第１の係合ピン１６を係止してＳＤカードを第１の装着位置に保持するためのピン係止部２１ａを有するハート型カム溝２１と、ピン係止部２１ａの上流側でハート型カム溝２１に連通して奥方へ延びる第１の案内溝２２と、ピン係止部２１ａの下流側でハート型カム溝２１に連通して奥方へ延びる第２の案内溝２３と、ＳＤカードが第２の装着位置から第１の装着位置へ移動する過程で第１の係合ピン１６の進路をガイドする帰還路２４と、両案内溝２２，２３および帰還路２４に連通して奥方へ延びる延出路２５とが設けられており、帰還路２４内には、この帰還路２４を移動中の第１の係合ピン１６を係止してＳＤカードを第１の装着位置に保持するための戻りピン係止部２４ａが形成されている。また、帰還路２４は、戻りピン係止部２４ａの下流側で第２の案内溝２３に連通させてある。そして、第１の係合ピン１６がピン係止部２１ａもしくは戻りピン係止部２４ａに係止されているとき、第１のスライド部材１４の移動が阻止されるため、第１の弾性片１８を介して該スライド部材１４と係合しているＳＤカードが、第１の装着位置に保持されるようになっている。
【００２１】
第２の排出機構７は、ＳＤカードの前縁部と係合可能な係合部２６ａを突設してＳＤカードの挿入排出方向に沿って往復移動可能な第２のスライド部材２６と、このスライド部材２６の移動に伴い前記ハート型カム溝１２に沿って移動する第２の係合ピン２７と、この係合ピン２７がハート型カム溝１２から脱落しないように押えている押え板２８と、第２のスライド部材２６をＳＤカードの排出方向へ向けて弾性付勢する第２のコイルばね２９とを具備している。ハート型カム溝１２にはピン係止部１２ａが形成されており、ＳＤカードが第２の装着位置にあるとき、第２の係合ピン２７が該ピン係止部１２ａに係止されて、第２のスライド部材２６の移動を阻止するようになっている。また、このとき、前記係合アーム１５に保持された第２の弾性片１９がＳＤカードの凹部と係合して、ＳＤカードを第２の装着位置に保持できるようになっている。
【００２２】
次に、このように構成されたカード用コネクタ装置の動作を、図６〜図１７を参照して説明する。まず、現在一般的な短寸のＳＤカード５０よりも長寸のＳＤカード６０を使用する場合の動作を、図６〜図１５を用いて説明する。
【００２３】
長寸のＳＤカード６０の挿入方向前端側には、各端子片３，４の接触部３ａ，４ａに接触可能な外部接続端子６１群が設けられている。また、このＳＤカード６０の一側縁には、第１の排出機構６の弾性片１８，１９と係合可能な凹部６２が設けられている。かかる長寸のＳＤカード６０は、その幅寸法や、外部接続端子６１群の端子配列、前縁から凹部６２までの距離等が、すべて短寸のＳＤカード５０と同等に設計されている。ただし、長寸のＳＤカード６０には後端側に図示せぬアンテナ回路が設けられており、このアンテナ回路を使用する場合、後端部分を手前へ露出させた状態でコネクタ装置に装着することが望まれる。
【００２４】
図６は、本実施形態例に係るカード用コネクタ装置に対して、長寸のＳＤカード６０の挿入を開始した直後の平面図である。ＳＤカード６０を図６に示す位置まで挿入すると、その凹部６２に第１の弾性片１８が係合して、ＳＤカード６０の前縁部に係合アーム１５が当接する。したがって、操作者がＳＤカード６０をさらに挿入していくと、フレーム１の規制壁１０によって外方への回転が規制されている係合アーム１５がＳＤカード６０に押し込まれることとなり、第１のスライド部材１４および係合アーム１５がＳＤカード６０に追動して奥方へ移動していき、該スライド部材１４の移動に伴い第１の係合ピン１６がハート型カム溝２１に沿って移動していく。
【００２５】
そして、ＳＤカード６０を第１の装着位置よりも若干量奥まで押し込むと、図７に矢印で示すように、第１の係合ピン１６がハート型カム溝２１から第１の案内溝２２へと移動するので、押し込み操作力を除去すれば、第１のコイルばね２０の弾性力で第１のスライド部材１４および係合アーム１５が手前へ押し戻され、第１の係合ピン１６をピン係止部２１ａに係止させることができる。したがって、ＳＤカード６０は、外部接続端子６１群を各端子片３の接触部３ａに接触させた第１の装着位置に保持されることとなり、手前に露出するアンテナ回路が使用可能な状態となる。
【００２６】
こうして第１の装着位置に装着されたＳＤカード６０を排出する場合には、図７の状態のＳＤカード６０を奥方へ浅く押し込めばよい。これにより、第１の係合ピン１６がピン係止部２１ａから離脱して、図６に矢印で示すようにハート型カム溝２１内を下流へ移動するので、第１のコイルばね２０の弾性力で手前へ移動する第１のスライド部材１４および係合アーム１５によって、ＳＤカード６０は排出位置まで押し戻される。つまり、操作者は、第１の装着位置に保持されているＳＤカード６０をワンプッシュの簡単な操作で排出させることができる。
【００２７】
また、アンテナ回路使用時に第１の装着位置に保持されていたＳＤカード６０を収納するため、第２の装着位置へ移動させる場合には、図７の状態のＳＤカード６０を操作者が奥方へ押し込んでいく。すると、第１のスライド部材１４の移動に伴って、第１の係合ピン１６は図８に矢印に示すように、ハート型カム溝２１から第２の案内溝２３を経て延出路２５へと移動していく。また、ＳＤカード６０が図８の位置まで挿入された時点で、係合アーム１５がＳＤカード６０に押されながら外方へ回転してフレーム１の切欠き１１内へ退避するので、係合アーム１５の奥方への移動が規制される。そのため、ＳＤカード６０がさらに奥方へ押し込まれても第１のスライド部材１４は停止したままで、第１の弾性片１８はＳＤカード６０の凹部６２から離脱する。しかし、この時点でＳＤカード６０の前縁部は第２のスライド部材２６の係合部２６ａを押し込んでいるので、ＳＤカード６０のさらなる奥方への移動に第２のスライド部材２６が追動し、第２の係合ピン２７がハート型カム溝１２に沿って移動していく。
【００２８】
そして、ＳＤカード６０を第２の装着位置よりも若干量奥まで押し込むことにより、第２の係合ピン２７がハート型カム溝１２内を図９に矢印で示すように移動するので、押し込み操作力を除去すれば、第２のコイルばね２９の弾性力で第２のスライド部材２６が手前へ押し戻され、第２の係合ピン２７をピン係止部１２ａに係止させることができる。したがって、ＳＤカード６０は、外部接続端子６１群を各端子片４の接触部４ａに接触させた第２の装着位置に保持されることとなり、手前に大きく突出することのない収納状態となる。なお、ＳＤカード６０が第２の装着位置に装着されているとき、ＳＤカード６０の凹部６２には第２の弾性片１９が入り込んで係合状態となっている。
【００２９】
また、第２の装着位置に保持されていたＳＤカード６０を第１の装着位置へ移動させてアンテナ回路を使用する場合には、図９の状態のＳＤカード６０を奥方へ浅く押し込めばよい。これにより、第２の係合ピン２７がピン係止部１２ａから離脱して、図１０に矢印で示すようにハート型カム溝１２内を下流へ移動するので、第２のコイルばね２９の弾性力で手前へ移動する第２のスライド部材２６の係合部２６ａによって、ＳＤカード６０は図１１，１２に示す順序で第１の装着位置まで押し戻される。図１１は、切欠き１１に退避していた係合アーム１５が内方へ回転して第１のスライド部材１４が手前へ移動し始めた状態を示しており、第１の係合ピン１６が延出路２５から帰還路２４へと移動している。また、図１２は、第１の係合ピン１６が帰還路２４の戻りピン係止部２４ａに係止されて、ＳＤカード６０が第１の装着位置まで戻った状態を示している。このように、操作者は、第２の装着位置に保持されているＳＤカード６０をワンプッシュの簡単な操作で第１の装着位置まで移動させて、アンテナ回路使用状態に設定することができる。ただし、図７〜図１２を見れば明らかなように、第１の係合ピン１６の通過する経路は、ＳＤカード６０が第１の装着位置から第２の装着位置へ移動する場合と、逆に第２の装着位置から第１の装着位置へ移動する場合とで異なっている。
【００３０】
こうしてＳＤカード６０を第２の装着位置から第１の装着位置まで移動させてアンテナ回路使用状態とした後、再びＳＤカード６０を第２の装着位置へ移動させる場合、操作者はＳＤカード６０を奥方へ深く押し込めばよい。これにより、図１３（ａ）〜（ｃ）に示すように、戻りピン係止部２４ａに係止されていた第１の係合ピン１６が第２の案内溝２３を経て延出路２５へと移動していくので、そのままＳＤカード６０を押し込んでいけば図８の状態を経て図９の状態へ移行する。また、第２の装着位置から第１の装着位置まで移動させてアンテナ回路使用状態としたＳＤカード６０を排出させる場合には、操作者はＳＤカード６０を奥方へ浅く押し込んでから操作力を除去すればよい。これにより、図１４（ａ）〜（ｃ）に示すように、戻りピン係止部２４ａに係止されていた第１の係合ピン１６が第２の案内溝２３の途中まで移動した時点で、第１のコイルばね２０の弾性力によって第１のスライド部材１４および係合アーム１５が手前へ押し戻されることになるので、第１の係合ピン１６がハート型カム溝２１を下流へと進み、ＳＤカード６０を排出させることができる。なお、このようにＳＤカード６０を第１の装着位置から手前へ移動させる過程で、戻りピン係止部２４ａに係止されていた第１の係合ピン１６を第２の案内溝２３からハート型カム溝２１の下流へとガイドする部分により、排出経路が構成されている。
【００３１】
また、挿入したＳＤカード６０をすぐに収納したい場合には、ＳＤカード６０を第１の装着位置を通り越していきなり第２の装着位置に装着させることもできる。すなわち、挿入したＳＤカード６０を奥方へ深く押し込んでいくと、図１５の矢印に示すように、第１の係合ピン１６がハート型カム溝２１から第１の案内溝２２を経て延出路２５へと移動していくので、そのままＳＤカード６０を押し込んでいけば図８の状態を経て図９の状態へ移行する。
【００３２】
次に、このカード用コネクタ装置に短寸のＳＤカード５０を使用する場合の動作を、図１６，１７を参照して説明する。図１６は短寸のＳＤカード５０の挿入を開始した直後の平面図、図１７は該ＳＤカード５０を第１の装着位置に装着した状態を示す平面図である。
【００３３】
これらの図で明らかなように、短寸のＳＤカード５０は奥方の第２の装着位置までは挿入できないので、第１の装着位置のみに装着可能である。また、前述したように、短寸のＳＤカード５０と長寸のＳＤカード６０は、その幅寸法や外部接続端子群の端子配列等が共通化されている。したがって、図６，７を用いて説明した動作、つまり長寸のＳＤカード６０を挿入して第１の装着位置に装着させたり、第１の装着位置に装着されている長寸のＳＤカード６０を排出させる場合の動作とまったく同等の動作が行われることとなる。例えば、図１６の状態で短寸のＳＤカード５０を操作者が押し込んでいくと、第１の係合ピン１６はハート型カム溝２１を通って第１の案内溝２２へ移動し、押し込み操作力が除去されると該係合ピン１６はハート型カム溝２１に戻ってピン係止部２１ａに係止されるため、ＳＤカード５０を第１の装着位置に装着させることができる。また、図１７の状態でＳＤカード５０を操作者が浅く押し込むと、ピン係止部２１ａに係止されていた第１の係合ピン１６が第２の案内溝２３へ移動するので、押し込み操作力が除去されると、該係合ピン１６はハート型カム溝２１を下流へと進んで、ＳＤカード５０を排出させることができる。
【００３４】
なお、本実施形態例では、図１７および図９に示すように、第１の装着位置に装着させた短寸のＳＤカード５０の後端部が手前に突出する寸法Ｌ１と、第２の装着位置に装着させた長寸のＳＤカード６０の後端部が手前に突出する寸法Ｌ２とが略同等となるように、これら第１および第２の装着位置を設定している。
【００３５】
このように本実施形態例によれば、短寸のＳＤカード５０を第１の装着位置に装着して使用できるのみならず、長寸のＳＤカード６０を第２の装着位置に装着して使用することができる。そして、長寸のＳＤカード６０であっても、これを奥方の第２の装着位置に装着すれば収納状態となすことができるので、外観を損ねたり携帯に支障をきたす心配はない。
【００３６】
また、本実施形態例では、第１の装着位置に装着されているＳＤカードが排出可能で所定のガイド溝９を有する第１の排出機構６と、第２の装着位置に装着されているＳＤカードを第１の装着位置へ向けて移動可能な第２の排出機構７とを設けて、長寸のＳＤカード６０を第１の装着位置と第２の装着位置との間で簡単かつ円滑に往復移動させることができるので、例えば、アンテナ回路を使用するときだけ該ＳＤカード６０を第１の装着位置に装着しておき、それ以外のときは該ＳＤカード６０を第２の装着位置に装着して収納しておくという実用的な使い方が簡便に行える。しかも、第１の装着位置に装着されているＳＤカードに排出力を付与する第１のコイルばね２０と、第２の装着位置に装着されているＳＤカードに排出力を付与する第２のコイルばね２９とが設けてあるため、常に安定した操作力でＳＤカードの押し込み操作を行うことができ、コイルばねの長寿命化も図れる。
【００３７】
なお、上記実施形態例では、帰還路２４を戻りピン係止部２４ａの下流側で第２の案内溝２３に連通させた場合について説明したが、この帰還路２４を戻りピン係止部２４ａの下流側で第１の案内溝２２に連通させることも可能である。ただし、この場合、第２の装着位置から第１の装着位置まで移動させたＳＤカード６０を排出させるときに、戻りピン係止部２４ａに係止されていた第１の係合ピン１６が第１の案内溝２２を経てハート型カム溝２１のピン係止部２１ａに一旦係止されるため、操作者はＳＤカード６０を奥方へ浅く押し込んで操作力を除去した後、再度ＳＤカード６０を奥方へ浅く押し込んで操作力を除去するというツープッシュ操作が必要となる。
【００３８】
【発明の効果】
本発明は、以上説明したような形態で実施され、以下に記載されるような効果を奏する。
【００３９】
短寸のカードを挿入して第１の装着位置に装着させることができるのみならず、長寸のカードを第１の装着位置にも第２の装着位置にも装着させることができるカード用コネクタ装置なので、例えばアンテナ回路使用時だけ長寸のカードを第１の装着位置に装着し、携帯時等には該長寸のカードを深く差し込んで第２の装着位置に収納しておくという使い方が可能となり、使い勝手が良好となる。また、長寸のカードを挿入するとスライド部材を介して係合ピンが溝状ガイド部に沿って移動し、該係合ピンをピン係止部に係止させれば長寸のカードを第１の装着位置に保持することができ、該係合ピンを第１の案内溝に沿って押し込めば長寸のカードを第２の装着位置まで円滑に移動させることができる。さらに、挿入した長寸のカードを第１の装着位置で保持した後、浅く押し込めば排出させることができ、深く押し込めば係合ピンが第２の案内溝に沿って移動して長寸のカードを第２の装着位置まで円滑に移動させることができる。したがって、挿入した長寸のカードを所望の装着位置へ随時簡便に移動させることができる。
【００４０】
また、前記溝状ガイド部に、戻りピン係止部を有する帰還路を設け、さらには、戻りピン係止部の下流側で帰還路を前記第１の案内溝または前記第２の案内溝に連通させておけば、長寸のカードを第２の装着位置と第１の装着位置との間で容易に往復移動させることができるので、使い勝手が一層向上する。
また、係合ピンが戻りピン係止部に係止されているときに長寸のカードを浅く押し込むことにより、該長寸のカードを第１の装着位置から容易に排出させることができるので、排出用の操作部材が省略できる。
【図面の簡単な説明】
【図１】本発明の実施形態例に係るカード用コネクタ装置を示す平面図である。
【図２】該コネクタ装置のハウジングの平面図である。
【図３】該コネクタ装置の端子部の平面図である。
【図４】該コネクタ装置の第１の排出機構に設けられたガイド溝の説明図である。
【図５】該コネクタ装置の第２の排出機構に設けられたガイド溝の説明図である。
【図６】長寸のＳＤカードが挿入されている該コネクタ装置の動作説明図である。
【図７】長寸のＳＤカードが挿入されている該コネクタ装置の動作説明図である。
【図８】長寸のＳＤカードが挿入されている該コネクタ装置の動作説明図である。
【図９】長寸のＳＤカードが挿入されている該コネクタ装置の動作説明図である。
【図１０】長寸のＳＤカードが挿入されている該コネクタ装置の動作説明図である。
【図１１】長寸のＳＤカードが挿入されている該コネクタ装置の動作説明図である。
【図１２】長寸のＳＤカードが挿入されている該コネクタ装置の動作説明図である。
【図１３】長寸のＳＤカードが挿入されている該コネクタ装置の動作説明図である。
【図１４】長寸のＳＤカードが挿入されている該コネクタ装置の動作説明図である。
【図１５】長寸のＳＤカードが挿入されている該コネクタ装置の動作説明図である。
【図１６】短寸のＳＤカードが挿入されている該コネクタ装置の動作説明図である。
【図１７】短寸のＳＤカードが挿入されている該コネクタ装置の動作説明図である。
【符号の説明】
１  フレーム（ハウジング）
２ａ  半田付け部
３，４  端子片
３ａ，４ａ  接触部
６  第１の排出機構
７  第２の排出機構
８  挿入空間
８ａ  開口端
９  ガイド溝(溝状ガイド部)
１０  規制壁
１１  切欠き
１２  ハート型カム溝
１４  第１のスライド部材
１５  係合アーム
１６  第１の係合ピン
２０  第１のコイルばね
２１  ハート型カム溝
２１ａ  ピン係止部
２２  第１の案内溝
２３  第２の案内溝
２４  帰還路
２４ａ  戻りピン係止部
２５  延出路
２６  第２のスライド部材
２７  第２の係合ピン
２９  第２のコイルばね
３０  第１の端子部
４０  第２の端子部
５０  短寸のＳＤカード
６０  長寸のＳＤカード
６１  外部接続端子
【図１】
0003961778.tif 000002
【図２】
0003961778.tif 000003
【図３】
0003961778.tif 000004
【図４】
0003961778.tif 000005
【図５】
0003961778.tif 000006
【図６】
0003961778.tif 000007
【図７】
0003961778.tif 000008
【図８】
0003961778.tif 000009
【図９】
0003961778.tif 000010
【図１０】
0003961778.tif 000011
【図１１】
0003961778.tif 000012
【図１２】
0003961778.tif 000013
【図１３】
0003961778.tif 000014
【図１４】
0003961778.tif 000015
【図１５】
0003961778.tif 000016
【図１６】
0003961778.tif 000017
【図１７】
0003961778.tif 000018